(57)【要約】【課題】固定する対象物の厚み、形状、取り扱い等に応じた複数の使用態様を、一つの押しピンで実現できるようにする。【解決手段】針部１２（１２Ａ、１２Ｂ）の先端に押当用の頭部１３（１３Ａ，１３Ｂ）を備えた一対の第一部材１１Ａと第二部材１１Ｂを備え、第一部材１１Ａの頭部１３Ａに凹部１７を設ける一方、第二部材１１Ｂの頭部１３Ｂに前記凹部１７に着脱自在に嵌合する凸部１８を設け、かつ、これら第一部材１１Ａと第二部材１１Ｂの頭部１３Ａ、１３Ｂを繋ぎ材２１で連結し、第一部材１１Ａと第二部材１１Ｂを分離したまま使用するほか、前記凹部１７に前記凸部１８を嵌合して第一部材１１Ａと第二部材１１Ｂの頭部１３Ａ、１３Ｂを連結して使用する。【選択図】図１
2008223950.tif 000002
【特許請求の範囲】
【請求項１】
針部の先端に押当用の頭部を備えた一対の第一部材と第二部材を備え、前記第一部材の頭部に凹部を設ける一方、第二部材の頭部に前記凹部に着脱自在に嵌合する凸部を設け、かつ、これら第一部材と第二部材の頭部を繋ぎ材で一体的に連結していることを特徴とする押ピン。
【請求項２】
針部の先端に押当用の頭部を備えた一対の第一部材と第二部材を備え、前記第一部材の頭部に凹部を設ける一方、第二部材の頭部に前記凹部に着脱自在に嵌合する凸部を設け、  かつ、これら第一部部材と第二部材と別体の繋ぎ材、または第一部材と第二部材のいずれか一方とのみ連結した繋ぎ材を備え、該繋ぎ材と連結していない第一部材または／及び第二部材と前記繋ぎ材を着脱自在に連結可能としていることを特徴とする押ピン。
【請求項３】
前記第一、第二部材の各頭部は円板形状の樹脂成形品からなり、各頭部に金属製の針からなる前記針部の先端をモールド固定している請求項１または請求項２に記載の押しピン。
【請求項４】
前記第一、第二部材の頭部の針部突出部は弾性を有する軟質樹脂材で形成すると共に、前記凹部および凸部を設けた外面側は硬質樹脂材で形成して２色成形している請求項１乃至請求項３のいずれか一項に記載の押しピン。
【請求項５】
前記第一、第二部材の頭部および繋ぎ材を一体的な樹脂成形品とし、
前記第一、第二部材の頭部の近接側に前記繋ぎ材の両端を連結固定すると共に、頭部の離反側に前記針部を偏心させて固定している請求項１、３、４のいずれか１項に記載の押しピン。
【請求項６】
前記第一、第二部材の頭部および繋ぎ材を一体的な樹脂成形品とし、
前記第一、第二部材の頭部の針部突出側面に同心状の円環溝を設ける一方、前記針部の先端に前記円環溝内に移動可能に係止される係止部を設け、第一、第二部材の針部間の距離を調節可能としている請求項１、３、４のいずれか１項に記載の押しピン。
【請求項７】
前記第一、第二部材の頭部と前記繋ぎ材とは別体とし、
前記繋ぎ材は伸縮性を有するゴム製、繊維製の帯状体または紐状体からなり、該繋ぎ材の両側の任意の位置に、前記第一、第二部材の各針部を突き刺して連結している請求項２、３、４のいずれか１項に記載の押しピン。
【発明の詳細な説明】
【技術分野】
【０００１】
本発明は、壁やボードに表示物を取り付ける押しピンに関し、固定する対象物の形状、厚さ等に応じて多様な使用方法を可能として利便性を高めるものである。
【背景技術】
【０００２】
一般によく知られている押しピンは、針部の一端に大径の頭部を備え、壁等に表示物を固定するときに、表示物の表面から壁内部にかけて前記針部を貫通させると共に頭部で表示物を壁面に押さえつけて固定している。
【０００３】
しかしながら、この種の押しピンを用いると、表示物に穴をあけて損傷してしまううえ、そのまま長時間固定していると、頭部の跡形が表示物に残ったり、針穴から亀裂を発生させる恐れもあり、大切なポスターや絵画である場合には使用しづらい点に問題がある。
また、表示物の厚さに因っては針部の長さが短いと安定した固定がなされず、表示物が落下する恐れもある。
さらに、壁に表示物を張り付けて使用する場合だけでなく、厚さや奥行きのある対象物や小物入れのように吊り下げて使用する場合には使用できず、利便性が劣る問題がある。
【０００４】
前記厚みや奥行きのある対象物を壁等に固定する方法としては、例えば、特開２０００−３３７３２５号（特許文献１）では、図１７（Ａ）に示すように、大径のつば部６の両面に、互いに反対方向に突出する針部７、８を一体不可分に備えた用具５が提案されている。該用具５は、図１７（Ｂ）に示すように、壁Ａ側に針部７を、つば部６が壁面に当たるまで深く刺し込み、壁Ａから突出した他方の針部８に対象物Ｂを突き刺すことによって、壁Ａに対象物Ｂを取り付けることができる。
【０００５】
しかしながら、前記用具５は、ポスターなどの薄い対象物を固定する用具としては不適である。
また、両端に針部７、８が設けられており、壁に刺し込むときに手やハンマーを押し当てることができる頭部が存在しない。そのため、針部７を壁Ａに刺し込むときは、図１２（Ａ）に示すような筒体の特殊な工具９を用い、該工具９を針部８に被せて先端９ａをつば部６に当接させ、該工具９の他端をハンマーなどで殴打しながら針部７を壁等に打ち込んでいく必要があり、用具管理が煩雑となるうえ、文房具として使い勝手がよくない点に問題がある。
【０００６】
【特許文献１】特開２０００−３３７３２５号公報
【発明の開示】
【発明が解決しようとする課題】
【０００７】
本発明は前記問題に鑑みてなされたもので、一種類の押しピンで、厚さの相違する表示物を多様な形態で固定あるいは吊り下げることができる押しピンを提供することを課題としている。
【課題を解決するための手段】
【０００８】
前記課題を解決するために、第１の発明として、針部の先端に押当用の頭部を備えた一対の第一部材と第二部材を備え、前記第一部材の頭部に凹部を設ける一方、第二部材の頭部に前記凹部に着脱自在に嵌合する凸部を設け、かつ、これら第一部材と第二部材の頭部を繋ぎ材で連結していることを特徴とする押しピンを提供している。
【０００９】
また、第２の発明として、針部の先端に押当用の頭部を備えた一対の第一部材と第二部材を備え、前記第一部材の頭部に凹部を設ける一方、第二部材の頭部に前記凹部に着脱自在に嵌合する凸部を設け、  かつ、これら第一部部材と第二部材と別体の繋ぎ材、または第一部材と第二部材のいずれか一方とのみ連結した繋ぎ材を備え、該繋ぎ材と連結していない第一部材または／及び第二部材と前記繋ぎ材を着脱自在に連結可能としていることを特徴とする押ピンを提供している。
【００１０】
前記第１、第２の発明からなる押しピンは、いずれも、固定する対象物の厚みや形状に応じて、使用方法を使い分けることができる。
即ち、ポスターなどの薄い表示物を壁に固定するときは、第一部材の頭部と第二部材の頭部を分離させて使用し、表示物の隅に前記繋ぎ材を斜めに当て、該表示物から外れた両側位置に第一部材の針部と第二部材の針部をそれぞれ突き刺す。これにより、表示物の隅を押しピンの頭部および繋ぎ材で壁面に押さえつけることができ、表示物に穴をあけることなく固定することができる。
また、表示物が厚い場合は、第一部材の頭部と第二部材の頭部は壁に固定し、その間の繋ぎ材を表示物の表面を押さ込むように緊張することにより固定することができる。
【００１１】
また、対象物が薄い額や伝言ボード等の厚さがある場合は、前記凸部と凹部とを嵌合して第一部材と第二部材の頭部同士を連結し、両端に針部を備えたピンとして使用することにより、壁等に固定することが可能となる。
具体的には、まず、第一部材の針部を壁等に深く刺し込んで壁面に頭部を当接させ、該第一部材の頭部の凹部に、第二部材の頭部の凸部を嵌合して該第二部材の針部を壁から突出させ、この第二部材の針部に対象物を突き刺すことによって、該対象物を壁に固定することができる。
表示する対象物が大型で比較的重量がある場合には、間隔をあけて複数の押しピンを用い、前記のように壁に固定し、壁から突出した複数の第二部材の針部に表示物を突き刺して固定することができる。
さらに、この押しピンを前記凸部と前記凹部を嵌合させて使用する場合は、壁から突出した第二部材の針部に物を引っ掛けて吊り下げて保持あるいは展示することもできる。
【００１２】
このように、本発明の押しピンは、一個の押しピンで複数パターンの使用方法が可能となり、対象物の厚みや形状に応じて使用態様を使い分けることができるため、利用範囲が広がり、複数種の押しピンを用意する必要がない。
また、第一部材と第二部材の頭部同士を連結して使用するときも、第一部材を壁等に刺し込むときは第二部材を分離させているため、第一部材の頭部を従来の押しピンと同様に指で押し込むことができ、前記特許公報１のような特殊工具を用いる必要がない。
【００１３】
前記第１の発明及び第２の発明とも、第一、第二部材の各頭部は円板形状の樹脂成形品からなり、各頭部に金属製の針からなる前記針部の先端をモールド固定していることが好ましい。
かつ、第１の発明では、繋ぎ材を第一、第二部材の頭部と一体成形することが好ましく、第２の発明でも繋ぎ材を第一、第二部材の頭部のいずれか一方と連結する場合には、連結する頭部と一体成形することが好ましい。
【００１４】
また、前記第一、第二部材の頭部の針部突出部は弾性を有する軟質樹脂材で形成すると共に、前記凹部および凸部を設けた外面側は硬質樹脂材で形成して２色成形していることが好ましい。
このように、頭部の針部突出側を軟質樹脂材で形成することにより、特に、ポスターなどの薄い表示物を固定するときに、該表示物の表面に前記軟質樹脂材が当接し、表示物へのフィット性が高まるため、表示物の位置ズレや落下を防止できる。また逆に、表示物に多少の厚みがあっても、前記軟質樹脂材の弾性によりその厚みを吸収することができるため、針部の浮き上がりや押しピンの抜け落ちを防止することができる。
また、凹部や凸部を設けた外面側を硬質樹脂材で形成することにより、該凹部と凸部の嵌合を容易に行うことが出来ると共に嵌合力を高めることができる。
【００１５】
また、第１の発明の前記第一、第二部材の頭部および繋ぎ材を一体的な樹脂成形品としている場合は、前記第一、第二部材の頭部の近接側に前記繋ぎ材の両端を連結固定すると共に、頭部の離反側に前記針部を偏心させて固定することが好ましい。
これにより、頭部の針部突出側の面と表示物の表面との接触面積が増えるため、表示物と押しピンとのフィット性が高まり、表示物の固定をより安定させることができる。
【００１６】
さらに、第１の発明では、前記第一、第二部材の頭部の針部突出側面に同心状の円環溝を設ける一方、前記針部の先端に前記円環溝内に移動可能に係止される係止部を設け、第一、第二部材の針部間の距離を調節可能としてもよい。
これにより、針部間の距離を最短距離から最長距離まで調節することができるため、壁内の柱位置等との関係により、針部の刺し込み位置に制限がある場合でも、前記円環溝に沿って針部の位置を移動させて対応することができる。
【００１７】
第一、第二部材と繋ぎ材を別体とする第２の発明では、前記繋ぎ材は伸縮性を有するゴム製や繊維製の帯状体または紐状体からなり、該繋ぎ材の両側の任意の位置に、前記第一、第二部材の各針部を突き刺して連結することが好ましい。
このように別体の繋ぎ材を伸縮性を付与しておくと、第一、第二部材の距離を任意に調整できる。かつ、表示物の表面に架け渡す繋ぎ材に色、模様等を施しておくと繋ぎ材のデザイン性を高めることができる。
【発明の効果】
【００１８】
上述したように、本発明によれば、一つの押しピンで、比較的薄い表示物を傷つけることなく固定する使用方法と、厚みや奥行きのある物を固定する使用方法と、物を引っ掛ける使用方法の３パターンの使い方が可能となり、利用範囲が広がるため、対象物の形状や取り扱いに応じて複数種類の押しピンを使い分ける負担、および用具管理の手間を軽減することができる。
また、第一部材と第二部材の頭部同士を連結して使用する場合でも、壁等に針部を刺し込むときは第一、第二部材を分離させておくことにより、特殊工具を用いることなく、頭部に指やハンマー等を押し当てて針部を容易に刺し込むことができる。
【００１９】
さらに、表示物に当接する頭部の針部突出側を軟質樹脂材で形成すると、表示物へのフィット性を高め、表示物が薄い紙などであっても該表示物の落下や位置ズレを防止できると共に、多少の厚みのある表示物でも、その厚みを軟質樹脂材が吸収して針部の浮き上がりや押しピンの抜け落ちを防止することができる。
【発明を実施するための最良の形態】
【００２０】
以下、本発明の実施形態を図面を参照して説明する。
図１乃至図６に本発明の第一実施形態に係る押しピン１０を示す。
押しピン１０は、針部１２（１２Ａ、１２Ｂ）の先端に押当用の頭部１３（１３Ａ、１３Ｂ）を備えた一対の第一部材１１Ａと第二部材１１Ｂとを繋ぎ材２１で連結している。第一部材１１Ａと第二部材１１Ｂはそれぞれ針部１２を頭部１３にモールドした状態で繋ぎ部を含めて一体成形している。
【００２１】
前記頭部１３は、略台円錐形状とし、針部突出面１４を平らな円板形状としている。該針部突出面１４と反対側の表面は、指等を押し当てる押当面１５とし、外周面１６は、針部突出面１４側から押当面１５側へと広がるテーパー状とし、押しピン抜き取り時の指の引っかかり部を形成している。
前記第一部材１１Ａの頭部１３Ａには、押当面１５側に開口する凹部１７を設けている。一方、第二部材１１Ｂの頭部１３Ｂには、前記凹部１７に着脱自在に嵌合する凸部１８を押当面１５より外方に突設している。
【００２２】
前記繋ぎ材２１はバンド形状で、一端を第一部材１１Ａの頭部１３Ａの外周面１６に連結し、他端を第二部材１１Ｂの頭部１３Ｂの外周面１６に連結している。
【００２３】
前記針部１２は金属製のピンからなり、先端を前記頭部１３にモールドして埋設し、針部突出面１４から垂直に突出させている。針部１２は、第一部材１１Ａの頭部１３Ａと第二部材１１Ｂの頭部１３Ｂとに、互いに離反する方向に偏心させて取り付けている。
【００２４】
前記繋ぎ材２１は前記のように頭部１３（１３Ａ、１３Ｂ）と一体成形して連続させている。
具体的には、図２（Ａ）に示すように、頭部１３のうち、前記凹部１７と凸部１８を含む押当面１５側の部分１９と繋ぎ材２１を一体に硬質樹脂材３１で成形し、該成形時に、図２（Ｂ）に示すように、この硬質樹脂材３１に針部１２の先端をモールドして一次成形している。
【００２５】
前記一次成形体を二次成形用の金型内に配置し、押当面側の部分１９の針部突出側の面に、図３に示すように、弾性を有する軟質樹脂材３２を積層するように２次成形し、針部突出面側の部分２０を弾性を有する軟質樹脂材３２で成形している。
このように、硬質樹脂材３１で一次成形した後、軟質樹脂材３２で二次成形する２色成形材とすることで、頭部１２（１２Ａ、１２Ｂ）の押当面側と針部突出側の硬さを異ならせている。
【００２６】
次に、前記構成の押しピン１０の使用方法を説明する。
まず、壁４０にポスター４１を貼る場合は、図４（Ａ）（Ｂ）に示すように、ポスター４１の各隅に前記繋ぎ材２１を斜めに押し当て、該繋ぎ材２１をピンと張りながら、両側の針部１２Ａ、１２Ｂを、ポスター４１からギリギリ外側に外れる位置に刺し込む。これにより、繋ぎ材２１の張力でポスター４１の四隅を押さえると共に、頭部１３の針部突出面１４でポスター４１を壁面４０ａに押し付けるため、ポスター４１に穴をあけることなく壁４０に貼り付けることができる。
【００２７】
さらに、前記針部１２Ａ、１２Ｂを、第一部材１１Ａ、第二部材１１Ｂの頭部１３Ａ、１３Ｂの離反側に偏心させて固定していることにより、両針部１２Ａ、１２Ｂ間の距離が大きくなるため、ポスター４１の表面と針部突出面１４との接触面積を大きく確保でき、ポスター４１の固定力を高めることができる。また、針部突出面１４に形成した弾性部２０により、薄いポスター４１の表面にもよくフィットし、ポスター４１の位置ズレや落下を防止できる。
【００２８】
前記押しピン１０は、図５、図６に示すように、第一部材１１Ａの頭部１３Ａの凹部１７に第二部材１１Ｂの頭部１３Ｂの凸部１８を嵌合させて、小型軽量な額縁４３を壁４０等に固定することもできる。
【００２９】
其の場合、まず、図５（Ａ）に示すように、第一部材１１Ａの針部１２Ａを壁４０に深く刺し込み、頭部１３Ａを壁面４０ａに当接させる。
次に、図５（Ｂ）（Ｃ）に示すように、頭部１３Ａの凹部１７に第二部材１１Ｂの頭部１３Ｂの凸部１８を嵌合させ、二つの頭部１３Ａ、１３Ｂを結合させる。
これにより、壁４０に第二部材１１Ｂが固定されるとともに、第二部材１１Ｂの針部１２Ｂが壁４０から突出した状態となる。
【００３０】
次いで、この針部１２Ｂに額縁４３を突き刺すことにより、図６（Ａ）に示すように、額縁４３を壁４０に固定することができる。額縁４３が比較的大型の場合には図６（Ｂ）に示すように、２つの押しピン１０を離れて取り付けることが好ましい。
また、図７に示すように、吊下紐４４ａを有する吊下材４４を、突出した第二部材１１Ｂの針部１２Ｂに吊り下げることもできる。其の際、針部１２Ｂの鋭角状の突出端にはキャップ状物４５を被せると安全性を付与することができる。
【００３１】
前記使用態様とすると、厚みのある額縁やボード等を壁に取り付けることができる。また、小物入れ等を壁に吊り下げることもできる。
また、前記凹部１７と凸部１８とは着脱自在であるため、第一部材１１Ａを壁４０に刺し込むときは、図５（Ａ）に示すように、第二部材１１Ｂを第一部材１１Ａから分離させた状態とすることにより、特殊な工具を用いることなく、第一部材１１Ａの頭部１３Ａの押当面１５に指を当てて容易に押し込むことができる。
【００３２】
このように、押しピン１０は、固定する対象物の材質、形状、取り扱いに応じて、前記凹部１７と凸部１８とを嵌合する使用態様、あるいは分離する使用態様を使い分けることができ、一つの押しピンで複数の使用パターンを提供することができるため、利用範囲が広がり、文房具としての使い勝手が向上すると共に、用具管理の手間も軽減できる。
【００３３】
図８乃至図１０に針部１２Ａ、１２Ｂの位置を変更自在とした本発明の第二実施形態を示す。
図８（Ａ）に示すように、第一部材１１Ａの頭部１３Ａと第二部材１１Ｂの頭部１３Ｂの針部突出面１４には（図示は頭部１３Ａの例）、同心状の円環溝２４を設け、該円環溝２４に移動可能に針部１２Ａ、１２Ｂを係止している。
【００３４】
前記針部１２Ａ、１２Ｂの先端には、図８（Ｂ）に示すように（図示は頭部１３Ａ、針部１２Ａの例）、大径の係止部２３を設け、該係止部２３を円環溝２４内に移動可能に埋設している。
前記円環溝２４の開口部２５の幅方向両側には、互いに対向方向に突設したレール部２６、２６を周方向に連続させて設けている。この両レール部２６、２６間の幅Ｗ１は、針部１２Ａ、１２Ｂの径Ｗ２より大きく、前記係止部２３の径Ｗ３よりも小さい寸法に設定している。これにより、針部１２Ａ、１２Ｂは円環溝２４に沿って周方向には移動できるが、係止部２３が前記レール部２６、２６に係止されるため、円環溝２４からの抜け落ちが規制される。
【００３５】
本実施形態では、壁４０内に、例えば、鉄骨等の障害物４３があることにより針部１２の刺し込み位置が制限される場合に、図９（Ａ）（Ｂ）に示すように、針部１２Ａ、１２Ｂを最近接位置に移動させて刺し込む、あるいは、図１０（Ａ）（Ｂ）に示すように、一方の針部１２Ｂを障害物４３にかからない位置に移動させて刺し込むなど、針部１２Ａ、１２Ｂの位置を変更して対応することができる。
【００３６】
図１１および図１２に第三実施形態を示す。
第三実施形態では繋ぎ材２１を略平行は２本のベルト２２、２２から形成している。
このように、繋ぎ材２１を略平行に取り付けられた一対のバンド２２、２２で構成すると、図１２に示すように使用でき、両側の頭部１３Ａ、１３Ｂをより安定させることができると共に２本のベルト２２、２２で表示物４１をしっかりと固定することができる。
【００３７】
図１３に第四実施形態を示す。第四実施形態では繋ぎ材２１にフック係止用の孔２１ａを間隔をあけて設けている。このように繋ぎ材２１をフック係止用とすると、第一部材１１Ａ、第二部材１１Ｂを壁４０に固定し、その間に張架された繋ぎ材２１に小物４５に付属したフック４５ａを吊り下げることができる。
【００３８】
図１４および図１５に第五実施形態を示す。
第五実施形態では、凹部１７を有する頭部１３Ａに同心位置に針部１２Ａを設けた第一部材１１ＡーＡと、凸部１８を有する頭部１３Ｂに同心位置に針部１２Ｂを設けた第二部材１１ＢーＢと、繋ぎ材２１Ｂとを夫々別体として設けている。
繋ぎ材２１Ｂは伸縮性を有するゴム帯からなり、前記針部１２Ａ、１２Ｂは繋ぎ材２１Ｂの任意の位置に差し込めるものからなる。
【００３９】
第四実施形態では、図１５（Ａ）に示すように、第一部材１１Ａ−Ａと第二部材１１Ｂ−Ｂとの間を繋ぎ材２１Ｂで連結し、該繋ぎ材２１でポスター４１の隅部を押さえて壁４０に固定する場合には、繋ぎ材２１Ｂの両端に第一部材１１Ａ−Ａ、第二部材１１Ｂ−Ｂの針部１２Ａ、１２Ｂを突き刺して壁４０に押し込んで使用する。この場合、繋ぎ材２１Ｂを若干伸ばして張架するとポスター４１への固定力を高めることができる。また、繋ぎ材２１Ｂの表面に装飾を施しておくと、繋ぎ材２１Ｂとポスター４１との相乗効果を高めることができる。
一方、図１５（Ｂ）に示すように、第一部材１１Ａ−Ａの凹部１７に第二部材１１Ｂ−Ｂの凸部１８を嵌合し、両側に針部１２Ａと１２Ｂを突出させて、突出させた針部１２Ｂを額縁４３等に突き刺して利用する場合には、繋ぎ材２１Ｂを用いない。
あるいは、図１５（Ｃ）に示すように、繋ぎ材２１Ｂの両端を第一、第二部材の針部１２Ａ、１２Ｂに突き刺してループ状とし、該ループを小物吊り下げ部として利用することもできる。
【００４０】
図１６は第四実施形態の変形例を示し、前記繋ぎ材は第一部材１１Ａ−Ａの頭部１１Ａと一体成形しておき、第二部材１１Ｂ−Ｂとは別体としている。
このように、繋ぎ材を一方の部材と一体化して樹脂成形品とすると、部品が２個となり、かつ、繋ぎ材を紛失しにくくなる。また、別体とした第二部材１１Ｂ−Ｂは繋ぎ材２１Ｂの任意の位置に止めることができ、繋ぎ材の長さ調節が容易にできる。
【図面の簡単な説明】
【００４１】
【図１】本発明の第一実施形態に係る押しピンの斜視図である。
【図２】（Ａ）（Ｂ）は図１に示す押しピンの成形工程における本体部の断面図である。
【図３】図２に示す本体部に弾性部を積層成形した状態を示す断面図である。
【図４】図１の押しピンの使用例を示し、（Ａ）は平面図、（Ｂ）は断面図である。
【図５】（Ａ）（Ｂ）（Ｃ）は、図１の押しピンの他の使用例における作業手順を示し、（Ａ）（Ｂ）は斜視図、（Ｃ）は断面図である。
【図６】図５（Ａ）（Ｂ）は他の使用例を示す図面である。
【図７】前記押しピンを吊り下げ用とする使用例を示す図面である。
【図８】第二実施形態に係る押しピンの要部を示し、（Ａ）は頭部の下面図、（Ｂ）は要部断面図である。
【図９】図８に示す押しピンの使用例を示し、（Ａ）は平面図、（Ｂ）は説明断面図である。
【図１０】図９に示す押しピンの他の使用例を示し、（Ａ）は平面図、（Ｂ）は説明断面図である。
【図１１】第三実施形態の押しピンの斜視図である。
【図１２】第三実施形態の押しピンの使用例を示す図面である。
【図１３】第四実施形態の押しピンの斜視図である。
【図１４】第五実施形態の押しピンの分解斜視図である。
【図１５】（Ａ）（Ｂ）（Ｃ）は第五実施形態の押しピンの使用例を示す図面である。
【図１６】第五実施形態の押しピンを示す斜視図である。
【図１７】従来例を示す図面である。
【符号の説明】
【００４２】
１０  押しピン
１１Ａ  第一部材
１１Ｂ  第二部材
１２（１２Ａ、１２Ｂ）  針部
１３（１３Ａ、１３Ｂ）  頭部
１４  針部突出面
１５  押当面
１７  凹部
１８  凸部
２０  弾性部
２１  繋ぎ材
【図１】
2008223950.tif 000003
【図２】
2008223950.tif 000004
【図３】
2008223950.tif 000005
【図４】
2008223950.tif 000006
【図５】
2008223950.tif 000007
【図６】
2008223950.tif 000008
【図７】
2008223950.tif 000009
【図８】
2008223950.tif 000010
【図９】
2008223950.tif 000011
【図１０】
2008223950.tif 000012
【図１１】
2008223950.tif 000013
【図１２】
2008223950.tif 000014
【図１３】
2008223950.tif 000015
【図１４】
2008223950.tif 000016
【図１５】
2008223950.tif 000017
【図１６】
2008223950.tif 000018
【図１７】
2008223950.tif 000019